(57)【特許請求の範囲】
【請求項１】
成形機の設定値を表示装置の表示部に表示し、この表示部に表示された設定値を選択した際に、この設定値を入力する入力ウィンドウをこの設定値の表示の上又は下に近接させて表示する表示装置を備えた成形機であって、
前記上又は下のいずれかを予め優先方向として設定しておき、
前記設定値を選択した際に、予め設定された優先方向に前記入力ウィンドウを表示するための表示可能領域の高さを算出し、
この算出された表示可能領域の高さが前記入力ウィンドウの高さより大きいか否かを判断し、前記表示可能領域の高さが前記入力ウィンドウの高さより大きい場合は、前記予め設定された優先方向に、前記入力ウィンドウを前記設定値の表示に近接させて表示する一方で、前記表示可能領域の高さが前記入力ウィンドウの高さより小さい場合は、前記予め設定された優先方向とは逆方向に、前記入力ウィンドウを前記設定値の表示に近接させて表示する制御部を備えたことを特徴とする表示装置を備えた成形機。
【請求項２】
前記表示装置は、この表示装置の表示部に触れて操作可能なタッチパネルを備えることを特徴とする請求項１記載の表示装置を備えた成形機。
【請求項３】
前記入力ウィンドウは、テンキー表示を含むことを特徴とする請求項２記載の表示装置を備えた成形機。
【発明の詳細な説明】
【技術分野】
【０００１】
本発明は、成形機の設定値などを表示する表示装置を備えたダイカストマシンや射出成形機等の成形機に関するものである。
【背景技術】
【０００２】
近年のマイコン制御の成形機は、表示装置や、制御のための設定値を入力する手段が備えられており、これによって、動作状況や設定状況を確認したり、設定値を入力したりすることが可能になっている。このような成形機において、設定値の表示の近傍にその入力手段があると、入力しながら設定値の確認が容易に行えるため、操作効率の向上が期待できる。
【０００３】
特許文献１は、この実現方法として、タッチパネル付き表示装置を使用し、設定値の表示の近くにテンキーを表示させ、これを用いて設定値を入力させる技術を開示している。
【０００４】
【特許文献１】特開２００４−１５５０７３号公報
【発明の開示】
【発明が解決しようとする課題】
【０００５】
しかしながら、特許文献１によれば、全ての設定値について、その設定値を入力する入力ウィンドウの表示位置を、手作業で登録していかなければならず、手間が掛かるという問題があった。
【０００６】
本発明は、上述の問題点に鑑みてなされたものであり、事前に全ての設定値について入力ウィンドウの表示位置を手作業で登録することなく、予め設定された優先方向に設定値の表示に近接させて入力ウィンドウ全体を表示できる場合は表示し、入力ウィンドウ全体を表示できない場合は他の表示可能な方向に設定値の表示に近接させて表示する表示装置を備えた成形機を提供することを目的とする。
【課題を解決するための手段】
【０００７】
請求項１に記載の表示装置を備えた成形機は、成形機の設定値を表示装置の表示部に表示し、この表示部に表示された設定値を選択した際に、この設定値を入力する入力ウィンドウをこの設定値の表示の上又は下に近接させて表示する表示装置を備えた成形機であって、前記上又は下のいずれかを予め優先方向として設定しておき、前記設定値を選択した際に、予め設定された優先方向に前記入力ウィンドウを表示するための表示可能領域の高さを算出し、この算出された表示可能領域の高さが前記入力ウィンドウの高さより大きいか否かを判断し、前記表示可能領域の高さが前記入力ウィンドウの高さより大きい場合は、前記予め設定された優先方向に、前記入力ウィンドウを前記設定値の表示に近接させて表示する一方で、前記表示可能領域の高さが前記入力ウィンドウの高さより小さい場合は、前記予め設定された優先方向とは逆方向に、前記入力ウィンドウを前記設定値の表示に近接させて表示する制御部を備えたことを特徴とする。
【０００８】
請求項１に記載の表示装置を備えた成形機によれば、予め設定された優先方向に入力ウィンドウ全体を表示できる場合は表示し、全体を表示できない場合は、入力ウィンドウが表示部からはみ出ない表示可能な方向に表示することができる。すなわち、予め設定された上又は下のいずれかの優先方向に入力ウィンドウ全体を表示できる場合は表示し、全体を表示できない場合は、入力ウィンドウが表示部からはみ出ない表示可能な方向（予め設定された上又は下の優先方向とは逆方向）に表示することができる。
【０００９】
請求項２に記載の表示装置を備えた成形機は、請求項１において、前記表示装置は、この表示装置の表示部に触れて操作可能なタッチパネルを備えることを特徴とする。
【００１０】
請求項２に記載の表示装置を備えた成形機によれば、設定値の表示の近傍に表示された入力ウィンドウ内のキーを、タッチパネルを押下することで直に操作することができる。
【００１１】
請求項３に記載の表示装置を備えた成形機は、請求項２において、前記入力ウィンドウは、テンキー表示を含むことを特徴とする。
【００１２】
請求項３に記載の表示装置を備えた成形機によれば、設定値の表示の近傍に表示された入力ウィンドウ内のテンキーを、タッチパネルを押下することで直に操作することができる。
【発明の効果】
【００１３】
本発明によれば、事前に全ての設定値について入力ウィンドウの表示位置を手作業で登録することなく、予め設定された優先方向に設定値の表示に近接させて入力ウィンドウ全体を表示できる場合は表示し、入力ウィンドウ全体を表示できない場合は他の表示可能な方向に設定値の表示に近接させて、入力ウィンドウの全体を表示部に自動的に表示することができるので、利便性に優れた成形機を提供することができる。
【発明を実施するための最良の形態】
【００１４】
本発明の実施の形態を、図面を参照して説明する。なお、以下の実施例は本発明の具体例の１つに過ぎず、本発明が以下の実施形態に限定されるものではない。
【００１５】
図１は、本実施例における成形機の概略構成を示すブロック図である。成形機は、機械的な動作により物品の成形を行うものであり、この成形機は、タッチパネル付き表示装置１（以下、単に表示装置と称す）、入力信号処理部４、画像データ処理部５、記憶部６、制御部７、成形部８、センサー９を備える。表示装置１は、ユーザーが入力を行うためのタッチパネル２と各種情報を表示するための液晶表示部３とを備える。
【００１６】
また、入力信号処理部４は、タッチパネル２から送信された入力信号を処理し、制御部７に出力する。記憶部６は、画像データやユーザーが入力した設定値等を記憶する。成形部８は、金型の型開閉により成形体の形成作業を行う。センサー９は成形部８による成形作業の制御に必要な各種データ（位置、速度、トルク、等）を取得する。画像データ処理部５は、マイクロコンピュータなどの制御部７から送信された各種画像データを処理して、液晶表示部３で表示するためのデータに変換し、液晶表示部３に送信する。制御部７は、装置全体の制御に係わる処理を行う。具体的には、タッチパネル２から入力された情報を取得するために入力信号処理部４を制御したり、液晶表示部３に画像を出力させるために画像データ処理部５を制御したり、成形作業のために成形部８及びセンサー９を制御したり、データの記憶のために記憶部６を制御したり、本発明を実施するための処理を記憶部６に記憶されているプログラムに従って実行する。
【００１７】
図２は、液晶表示部３に表示された制御画面の一例を示しており、同図に示すように、制御項目２１に対してその設定値２２が表示されている。以下で、入力ウィンドウ３１の表示方向について説明する。なお、本実施例では、入力ウィンドウ３１の表示方向として、「下方／上方」を使用し、予め「下方」が優先方向として設定されている。
【００１８】
図３は、設定値の表示２２ａの下方に入力ウィンドウ３１を表示した場合の液晶表示部３に表示された制御画面である。これは、制御画面において、設定値を、その設定値の表示２２ａに対応するタッチパネル２の箇所を押下することで選択すると、その設定値の表示２２ａに近接して入力ウィンドウ３１が表示されるものである。ここで、表示された入力ウィンドウ３１の各キーが押下されると、タッチパネル２から押下された位置の情報が入力信号処理部４に送信され、押下されたキーの情報が生成され、これが制御部７に送信される。
【００１９】
図４は、設定値の表示２２ｂの上方に入力ウィンドウ３１を表示した場合の制御画面である。これは、制御画面において、設定値を、その設定値の表示２２ｂに対応するタッチパネル２の箇所を押下することで選択すると、その設定値の表示２２ｂに近接して入力ウィンドウ３１が表示されるものである。ここで、同図の設定値２２ｂの下方には、入力ウィンドウ３１の全体を表示できるだけの高さがない。即ち、設定値２２ｂの下方には、入力ウィンドウ３１の全体を表示することができないため、設定値２２ｂの上方に、入力ウィンドウ３１を表示したものである。この場合も、図３と同様に、押下されたキーの情報が制御部７に送信される。
【００２０】
このような成形機における設定値の入力の手順を、図５のフローチャートを用いて説明する。なお、上述の通り、本実施例は、入力ウィンドウ３１の表示方向として、「下方／上方」を使用し、予め「下方」が優先方向として設定されている。
【００２１】
図２に示す制御画面において、設定値の表示２２に対応するタッチパネル２の箇所が押下されて制御値が選択されると、図５のフローチャートで示される処理が開始される。
【００２２】
ステップＳ１１０では、制御部７が、記憶部６に記憶された、設定値の表示されている位置の座標及び液晶表示部３全体の表示領域の大きさから、選択された設定値の表示の下方の表示可能領域の高さを算出し、ステップＳ１２０に進む。
【００２３】
ステップＳ１２０では、制御部７で、ステップＳ１１０で算出された高さが入力ウィンドウ３１の高さより大きいかを判断し、入力ウィンドウ３１の高さより大きい場合は、ステップＳ１３０に進み、そうでない場合は、ステップＳ１４０に進む。
【００２４】
ステップＳ１３０では、制御部７が画像データ処理部５に対して、設定値の表示の下方に入力ウィンドウ３１を表示するよう指示し、「終了」に進む。これにより、設定値の表示の下方に入力ウィンドウ３１が表示される。
【００２５】
ステップＳ１４０では、制御部７が画像データ処理部５に対して、設定値の表示の上方に入力ウィンドウ３１を表示するよう指示し、「終了」に進む。これにより、設定値の表示の上方に入力ウィンドウ３１が表示される。
【００２６】
このようにして、設定値の表示の下方に入力ウィンドウ３１が表示可能であるかを調べ、表示可能であれば設定値の表示の下方に表示し、そうでなければ、設定値の表示の上方に表示するという処理が行われる。この図５のフローチャートで示される処理が終了した後は、タッチパネル２を使用した設定値の入力処理に移行し、ユーザーによる設定値の入力作業が行われる。
【００２７】
以上述べたように、本発明では、事前に全ての設定値について入力ウィンドウ３１の表示位置を手作業で登録することなく、予め設定された優先方向に設定値の表示に近接させて入力ウィンドウ全体を表示できる場合は表示し、入力ウィンドウ全体を表示できない場合は他の表示可能な方向に設定値の表示に近接させて、入力ウィンドウ全体を表示部３に自動的に表示することができるので、利便性に優れた成形機を提供することができる。
【００２８】
なお、上述の実施例では、入力ウィンドウ３１の表示方向を、「下方／上方」にしたが、「右方／左方」や「下方／右方」や「斜め左上／斜め右下」や「斜め右上／斜め左下」のようにしても良い。また、上述の実施例では、入力ウィンドウ３１がテンキーになっており、数値を入力するようになっているが、「ＯＮ／ＯＦＦ」を設定する入力ウィンドウであっても良い。
【００２９】
更に、上述の実施例では、「下方」を優先するように予め設定されているが、成形機の製造の段階で優先方向を設定しても良いし、ユーザーが優先方向を設定しても良い。
【図面の簡単な説明】
【００３０】
【図１】成形機の概略構成を示すブロック図である。
【図２】制御画面である。
【図３】設定値入力ウィンドウの表示例である。
【図４】設定値入力ウィンドウの表示例である。
【図５】実施例のフローチャートである。
【符号の説明】
【００３１】
１ 表示装置
２ タッチパネル
３ 表示部（液晶表示部）
７ 制御部
２２ａ，２２ｂ 設定値
３１ 入力ウィンドウ
【図１】
0004689397.tif 000002
【図２】
0004689397.tif 000003
【図３】
0004689397.tif 000004
【図４】
0004689397.tif 000005
【図５】
0004689397.tif 000006